(57)【要約】【課題】煙感知器に悪影響を与えず、安定して作動試験を行なうことができる煙感知器用試験器を提供することを課題とするものである。【解決手段】煙霧質を発生させる煙霧発生器本体４に、試験すべき煙感知器１の少なくとも感煙部１１を下方から覆うフード部２を設けた煙感知器用試験器Ａであって、上記フード部２は、煙霧発生器本体４に結合され、該煙霧発生器本体１１で発生させた煙霧質を導入するために煙感知器１の感煙部１１付近に配置される流入口２ａと、フード部２に導入されて煙感知器１を通じた後の煙霧質を外部に排気するための排気口２ｂとを設けている。【選択図】図１
2006126897.tif 000002
【特許請求の範囲】
【請求項１】
煙霧質を発生させる煙霧発生器本体に、試験すべき煙感知器の少なくとも感煙部を下方から覆うフード部を設けた煙感知器用試験器であって、
上記フード部は、上記煙霧発生器本体に結合され、該煙霧発生器本体で発生させた煙霧質を導入するために上記煙感知器の感煙部付近に配置される流入口と、上記フード部に導入されて上記煙感知器を通じた後の煙霧質を外部に排気するための排気口とを設けている煙感知器用試験器。
【請求項２】
請求項１において、
上記煙霧発生器本体は、超音波振動子による振動を煙霧質液に加えて煙霧質を発生させるものであり、上記フード部の横方向あるいは斜下方向より、上記流入口を形成した煙霧導入筒で結合され、上記超音波振動子は、上記煙霧質液を収容する液収容部と、上記煙霧導入筒との間に配し、上記液収容部とは反対側に煙霧質を発生させている煙感知器用試験器。
【請求項３】
請求項１又は２において、
上記フード部と上記煙霧発生器本体とは、屈曲結合手段によって折曲げ可能に結合されている煙感知器用試験器。
【請求項４】
請求項１〜３のいずれかにおいて、
上記フード部の上開口部の周縁には、パッキン部材を設けている煙感知器用試験器。
【請求項５】
請求項１〜４のいずれかにおいて、
上記フード部の上記排気口には、外方からの気流の流入を遮蔽し、かつ上記煙感知器を通じた煙霧質を、上記フード部の底部方向に排出させるための外気遮蔽手段を設けている煙感知器用試験器。
【発明の詳細な説明】
【技術分野】
【０００１】
本発明は、煙感知器用試験器に関するものである。
【背景技術】
【０００２】
従来より、煙感知器の作動試験に用いられる煙感知器用試験器としては、線香等を燃焼させ発生する煙を利用して行なうものや、ガスボンベから試験用ガスを噴出させ行なうものが知られているが、前者は火気を使用しなければならない点や煙に含まれる煤により煙感知器の表面に汚れが付着する点等の問題があり、後者においては、ガスボンベの荷重により煙感知器用試験器自体が重くなり、操作性が悪い点や作動試験用のガスボンベを要するためランニングコスト面等に問題があった。
【０００３】
そこで、煙感知器の表面に汚れが付着することがないものとして、水やエタノールを超音波振動子の振動により発生する煙霧質を用いて動作試験を行うものが提案されており、下記特許文献１には、そのような煙感知器用試験器に関する技術が開示されている。
【特許文献１】特開平９−２５１５８９号公報
【発明の開示】
【発明が解決しようとする課題】
【０００４】
しかしながら、上記のものでは、煙霧質を安定して煙感知器の感煙部に導入しなければ、動作試験がスムーズにいかない等の問題がわかってきており、以下にその問題点を図とともに詳述する。
図６（ａ）〜（ｃ）は、従来の煙霧質を用いた煙感知器用試験器の構成を示す図である。これらの図において、１００は被試験体となる煙感知器、２００は煙霧質液２０１（水やエタノール等）を貯留し、煙感知器１００の感煙部１０１周辺を覆うカバー部、２０２は超音波振動子２０３を振動させる制御回路、２０４は送風装置を示している。
この煙感知器用試験器は、超音波振動子２０３を振動させることによりカバー部２００内において煙霧質液２０１を霧化し、これを感煙部１０１周辺に拡散させ、煙感知器１００の作動試験を行なうものである。
【０００５】
図６（ａ）に示す構成の場合は、煙感知器１００の真下で煙霧質が発生する構成であるため、煙霧質が安定して感煙部１０１に流入せず、作動試験時間が長くなる場合がある。
またカバー部２００で感煙部１０１周辺が覆われるため、内部が密閉空間となり、発生した煙霧質を排気する場がないので、煙霧質の濃度が限りなく上昇し、煙感知器１００に水滴等が付着して汚れの原因となる。
図６（ｂ）に示す構成の場合は、送風装置２０４により煙霧質を安定して感煙部１０１に流入させ、排気する流れを作ることができるが、超音波振動子２０３を振動させる電力の他、送風装置２０４を駆動させる電力も必要なため、消費電力が大きくなり、制御回路２０２や電源回路が大型し、試験器の重量が増し操作性が悪くなる。
図６（ｃ）に示す構成の場合は、周囲の気流に影響されやすく、例えば煙感知器１００の周囲にエアコン等の気流が存在すると、安定して感煙部１０１に煙霧質が流入せず、作動試験時間が長くなる場合がある。
【０００６】
本発明は上記問題点に鑑みなされたものであり、煙感知器に悪影響を与えず、安定して作動試験を行なうことができる煙感知器用試験器を提供することを課題とするものである。
【課題を解決するための手段】
【０００７】
上記課題を解決するために、提案される請求項１に記載の煙感知器用試験器は、煙霧質を発生させる煙霧発生器本体に、試験すべき煙感知器の少なくとも感煙部を下方から覆うフード部で構成されており、上記フード部は、上記煙霧発生器本体に結合され、該煙霧発生器本体で発生させた煙霧質を導入するために上記煙感知器の感煙部付近に配置される流入口と、上記フード部に導入されて上記煙感知器を通じた後の煙霧質を外部に排気するための排気口とを設ける構成にしている。    
【０００８】
請求項２に記載の煙感知器用試験器は、請求項１において、上記煙霧発生器本体は、超音波振動子による振動を煙霧質液に加えて煙霧質を発生させるものであり、上記フード部の横方向あるいは斜下方向より、上記流入口を形成した煙霧導入筒で結合され、上記超音波振動子は、上記煙霧質液を収容する液収容部と、上記煙霧導入筒との間に配し、上記液収容部とは反対側に煙霧質を発生させている構成にしている。
ここでは、超音波振動子の振動により煙霧質液を霧化して、これを実火災における煙として作動試験を行なう構成としており、また煙霧質液としては、入手が容易な水やアルコール（エタノール）等が利用可能である。
請求項３に記載の煙感知器用試験器は、請求項１又は２において、上記フード部と上記煙霧発生器本体とは、屈曲結合手段によって折曲げ可能に結合されている。
請求項４に記載の煙感知器用試験器は、請求項１〜３のいずれかにおいて、上記フード部の上開口部の周縁には、パッキン部材を設けている。
請求項５に記載の煙感知器用試験器は、請求項１〜４のいずれかにおいて、上記フード部の上記排気口には、外方からの気流の流入を遮蔽し、かつ上記煙感知器を通じた煙霧質を、上記フード部の底部方向に排出させるための外気遮蔽手段を設けている。
【発明の効果】
【０００９】
請求項１に記載の煙感知器用試験器によれば、煙霧発生器本体で発生させた煙霧質をフード部の流入口から導入して煙感知器を通じた後、排気口から煙感知器用試験器の外部へ排気されるので、送風装置を備えていなくても、煙霧質をスムーズに煙感知器へ供給することができ、煙感知器に悪影響を与えることなく、安定した作動試験を行なうことができる。
【００１０】
請求項２に記載の煙感知器用試験器によれば、超音波振動子による振動を煙霧質液に加えて煙霧質を発生させる構成とした場合は、フード部の横方向あるいは斜下方向より、流入口を形成した煙霧導入筒で結合され、超音波振動子は、煙霧質液を収容する液収容部と、煙霧導入筒との間に配し、液収容部とは反対側に煙霧質を発生させる構成としているので、超音波振動子に煙霧質が結露して再付着しにくく、振動子が停止されるような事態が防止できる。
【００１１】
請求項３に記載の煙感知器用試験器によれば、フード部と煙霧発生器本体とは、屈曲結合手段によって折曲げ可能に結合されているので、フード部は天井面の傾きに応じて煙感知器を覆うことができるので、例えば傾斜した天井面に取付けられた煙感知器であっても、容易に作動試験を行なうことができる。
【００１２】
請求項４に記載の煙感知器用試験器によれば、フード部の上開口部の周縁には、パッキン部材を設けているので、密封性が向上し、煙霧質の漏れ出しや周囲からの気流の流入を防止することができる。また作業時にパッキン部材のクッション性により天井面や煙感知器等の傷付け防止することができる。
【００１３】
請求項５に記載の煙感知器用試験器によれば、フード部の排気口には、外方からの気流の流入を遮蔽し、かつ煙感知器を通じた煙霧質を、フード部の底部方向に排出させるための外気遮蔽手段を設けているので、外気の影響を受けにくく安定した作動試験を行なうことができる。
【発明を実施するための最良の形態】
【００１４】
以下、図とともに本発明の実施の形態について説明する。
【実施例１】
【００１５】
図１は本発明の実施例における煙感知器用試験器Ａを示した断面図である。
図中、１は被試験体となる煙感知器であり、感煙部１１を下方にして、天井面７に取り付けられている。２は感煙部１１を下方から覆うフード部、２ａは煙霧質を感煙部１１へ導く流入口、２ｂは煙感知器１を通じた後の煙霧質を外部に排気するための排気口、３はフード部２と煙霧発生器本体４を繋ぐ煙霧導入筒であり、煙霧発生器本体４は、超音波振動子Ｓを備え、煙霧質液４ｂを貯留した液収容部４ｅ（タンク）を有し、液収容部４ｅに浸漬挿入された給液芯４ａによって吸い上げられた煙霧質液４ｂは超音波振動子Ｓによる振動が加えられて霧化されるようになっている。なお、煙霧質液４ｂとしては、煙感知器１の感煙部１１を通じた場合にも、感煙部１１に悪影響を与えない水やエタノールなどが使用されている。
また、４ｃは超音波振動子Ｓの振動等を制御する制御回路、５は支持棒、６は煙霧質の発生をオン／オフする操作スイッチ６ａを設けたスイッチボックスであり、電池６ｂを内蔵している。なお、４ｄは、超音波振動子Ｓの制御回路４ｃに電源を供給するため、スイッチボックス６から導出された電源線８を接続するための電源ジャックである。
【００１６】
煙感知器１の検知方式は、特に限定されるものではないが、煙霧質により作動試験が可能な煙感知器があればよく、例えば光の乱反射や遮光を検出して煙を感知する光電式の煙感知器がある。
また流入口２ａは、煙霧質を感煙部１１に確実に誘導するため、感煙部１１付近に向かって配置される位置に形成されていればよく、排気口２ｂは煙霧質を外部に排気し、外気の影響を受けない程度に開口したものであればよい。
さらに煙霧質の発生方法について、本実施例では超音波振動子Ｓを液に浸さずに、煙霧質液４ｂを収容する液収容部４ｅと煙霧導入筒３との間に超音波振動子Ｓを配し、給液芯４ａで煙霧質液４ｂを吸い上げ、液収容部４ｅとは反対側に煙霧質を発生させるものを示しているが、このような構造には限られず、煙霧質を発生させるものであればよい。上記構成の場合、超音波振動子Ｓには、水は通さないが霧質だけは通すような微小な孔が設けられており、煙霧質液４ｂとしては、入手が容易な水やアルコール（エタノール）等が利用可能である。
【００１７】
本実施例は、超音波振動子Ｓを駆動制御するため制御回路４ｃを備えており、制御回路４ｃは、スイッチボックス６に内蔵された電池６ｂから電源の供給を受けている。煙感知器の作動試験を行なう際には、操作スイッチ６ａをオン操作して制御回路４ｃを駆動させ、終了時にはオフ操作する。
上記構成の煙感知器用試験器Ａを使用する際には、まず煙霧発生器本体４に水やアルコールなどの煙霧質液４ｂを注入し、天井面７に取付けられた煙感知器１の少なくとも感煙部１１を覆う位置にフード部２が配置されるよう当該煙感知器用試験器Aを持っていき、手動スイッチ６ａをオンする。すると、制御回路４ｃが作動し、超音波振動子Ｓが振動を開始すると、給液芯４ａによって吸い上げられた煙霧質液４ｂが、霧化されて煙霧質を発生するので煙霧導入筒３を通って流入口２ａから煙感知器１の感煙部１１へ煙霧質が誘導される。煙感知器１は感煙部１１に流入してきた煙霧質により煙を感知したと判断した場合（光電式煙感知器の場合は光の乱反射を検出した場合）、発報する。この時、煙感知器１が発報しなければ、該煙感知器１が故障していることがわかる。
【００１８】
この実施例では煙感知器用試験器Ａのフード部２は、煙霧発生器本体１１に結合され、超音波振動子Ｓの振動により発生した煙霧質を導入するために煙感知器１の感煙部１１付近に配置される流入口２ａと、フード部２に導入されて煙感知器１を通じた後の煙霧質を外部に排気するための排気口２ｂとを設けている。
この構成によれば、別途高価な送風装置等を備えていなくても、煙霧質をスムーズに煙感知器１内へ供給及び排気することができ、安定した作動試験を行なうことができる。また排気口２ｂを備えているため作動試験の際に完全な密封状態にはならず、煙感知器１１内に過剰に供給されることがないので、作動試験後に煙感知器１１本体に悪影響を与えることを防止できる。
【００１９】
また、フード部２は、横方向あるいは斜下方向より、流入口２ａを形成する構成としているので、煙霧質をスムーズに感煙部１１に導入できる効果がある他、超音波振動子Ｓを煙感知器１の真下に配置するものに比べて、霧化した煙霧質が煙霧導入筒３の内壁にて結露して超音波振動子Ｓの上に落下し再付着して、その水滴（結露）で超音波振動子Ｓが停止し、霧化の発生が途中で停止するなどの懸念も失くすことが出来る。
更に、フード部２を構成する場合、内部が透視できるような素材で形成すれば、フード部２内での煙霧質の様子を外部から把握でき、一層作業性をよくすることが出来る。
【００２０】
図１は、斜下方向より流入口２ａを形成したものを示しており、後述の図２では、横方向より流入口２ａを形成したものを示している。
また、フード部２と煙霧発生器本体４は、一体成型又は着脱自在な構成により結合されている。
【実施例２】
【００２１】
図２は、本発明の煙感知器用試験器の別の実施形態を示した断面図である。
なお、フード部２、煙霧発生器本体４等の構成はこれに限られるものではなく、図１と共通部分には同一の符号を付し、その説明を割愛する。またここでは、説明のため被試験体である煙感知器１を図示していないが、作動試験の方法は実施例１と同様である。
【００２２】
本実施形態は、横方向より流入口２ａを形成したことを特徴とし、フード部２の上開口部２ｃの周縁には、パッキン部材Ｐを設けている点で実施例１と相違する。このパッキン部材Ｐはフードの上開口部２ｃの形状に合わせて形成される。
この構成によれば、パッキン部材Ｐにより煙感知器１を覆う密封性が向上し、煙霧質の漏れ出しや周囲からの気流の流入を防止することができる。また作業時にパッキン部材Ｐのクッション性により天井面７や煙感知器１等の傷付け防止することができる。
尚、もちろんその他の実施例（実施例１、３、４）の構成にパッキン部材Ｐを設けたものとしてもよい。
【実施例３】
【００２３】
図３は、本発明の煙感知器用試験器Ａの別の実施形態を示した断面図であり、図４は、更に別の実施形態のフード部の動作状態を説明する図である。
なお、フード部２等の構成はこれに限られるものではなく、図１と共通部分には同一の符号を付し、その説明を割愛する。またここでは、説明のため煙霧発生器本体４等を図示していないが、作動試験の方法等は実施例１と同様である。
本実施形態では、フード部２と煙霧発生器本体４とは、屈曲結合手段８によって折曲げ可能に結合されている点で上記実施例と相違している。
【００２４】
図３に示したものでは、煙霧導入筒３の折曲部分に蛇腹部３１を設けて構成されており、傾斜天井面７Ａなどにフード部２を押し付けたときに蛇腹部３１を折曲させて、その状態を保持するが、押し付けを解除したときには、元の状態に復帰する程度の柔軟さと硬さを有している。
また、図４（ａ），（ｂ）は、フード部２に煙霧導入筒３の傾斜を可能とする結合開口８１を形成し、その結合開口８１より煙霧導入筒３の先端をフード部２内に挿入し、煙霧導入筒３は、回転軸８２でフード部２に回動可能に枢着している。この図では、結合開口部８１を明示するため一部を断面図で示している。
なお、８３は結合開口８１の隙間を塞ぐ弾性変形の可能なゴムシール膜である。
この実施例の場合、回転軸８２にバネ等の弾性手段を設けておけば、傾斜天井面７Ａにフード部２を押し付けて、図４（ｂ）のように屈曲させて試験動作を行った後、押し付けを解除させれば、弾性手段による復元力によって、図４（ａ）に示したように元の状態に自動で復帰させることが出来、便利である。
このような構造によれば、フード部２は天井面７の傾きに応じて煙感知器１（感煙部１１）を覆うことができる。この場合の傾斜可能角度は０〜４５度程度であることが望ましい。
【実施例４】
【００２５】
図５は、本発明の煙感知器用試験器Ａの別の実施形態を示した断面図である。
なお、フード部２、煙霧発生器本体４等の構成はこれに限られるものではなく、図１と共通部分には同一の符号を付し、その説明を割愛する。
本実施形態は、フード部２の排気口２ｂには、外方からの気流を遮蔽し、かつ煙感知器１を通じた煙霧質を、フード部２の底部方向にスムーズに排出させるための外気遮蔽手段９を設けている点で他の実施例とは相違している。
【００２６】
ここで外気遮蔽手段９は、平板でもフード部２の形状に応じて曲板状のものでもよく、排気口２ｂから外気が流入することを防ぐことができ、煙感知器１を通じた煙霧質を排気口２ｂの上方から底部方向へ排気を逃すものであればよい。
図５に示したものは、横断面が、排気口２ｂの開口に応じた円弧形状になっているが、このような形状には限定されない。
このような外気遮蔽手段９を設けた構成によれば、例えばエアコン等の外気が排気口２ｂからフード部２内に浸入し、煙感知器１に直接当たったり等の影響を受けにくく、安定した作動試験を行なうことができ、また、排気口２ｂの開口を大きくとることができるため、よりスムーズに煙霧質を排気することができる。
【図面の簡単な説明】
【００２７】
【図１】本発明の実施例における煙感知器用試験器を示した断面図である。
【図２】本発明の別の実施例における煙感知器用試験器（パッキン部材を設けた例）を示した断面図である。
【図３】本発明の別の実施例における煙感知器用試験器（屈曲結合手段を設けた例）を示した断面図である。
【図４】（ａ），（ｂ）は、本発明の別の実施例における煙感知器用試験器（屈曲結合手段を設けた例）を説明する図である。
【図５】は、本発明の別の実施例における煙感知器用試験器を示した断面図である。
【図６】（ａ）〜（ｃ）従来の煙感知器用試験器を示した構成図である。
【符号の説明】
【００２８】
Ａ      煙感知器用試験器
１      煙感知器
１１    感煙部
２      フード部
２ａ    流入口
２ｂ    排気口
２ｃ    上開口部
Ｐ      パッキン部材
Ｓ      超音波振動子
３      煙霧導入筒
４      煙霧発生器本体
８      屈曲結合手段
９      外気遮断手段
【図１】
2006126897.tif 000003
【図２】
2006126897.tif 000004
【図３】
2006126897.tif 000005
【図４】
2006126897.tif 000006
【図５】
2006126897.tif 000007
【図６】
2006126897.tif 000008